(57)【要約】【課題】見込み方向の屋内側などの一方側から補強構造を木造構造体に配置可能にしながらも、同木造構造体が有する組物等の縦材の動きを補強構造が規制しないようにする。【解決手段】補強対象の木造構造体は、上下方向と交差する横方向に沿った上横材と、横方向に沿った下横材と、横方向の両側に位置しつつ上下方向に沿った二つの縦材と、上横材と下横材と二つの縦材とで囲まれた空間に配されつつ、法線方向が上下方向及び横方向と交差する見込み方向を向いた面材と、を有する。補強構造は、見込み方向において前記面材よりも一方側の位置に配されつつ上横材に固定された木製上受け材と、前記面材よりも前記一方側の位置に配されつつ下横材に固定された木製下受け材と、前記面材よりも前記一方側の位置に配されて上部を上受け材に固定されつつ下部を下受け材に固定された木製補強用面材と、を有する。上受け材と下受け材と補強用面材とは、二つの縦材に固定されていない。【選択図】図３Ｂ
2018084050.tif 000002
【特許請求の範囲】
【請求項１】
上下方向と交差する横方向に沿って配された上横材と、前記上横材の下方に位置しつつ、前記横方向に沿って配された下横材と、互いの間に前記横方向の間隔をあけて前記横方向の両側にそれぞれ位置しつつ、前記上下方向に沿ってそれぞれ配された二つの縦材と、前記上横材と前記下横材と前記二つの縦材とで囲まれた空間に配されつつ、法線方向が前記上下方向及び前記横方向と交差する見込み方向を向いた面材と、を有した木造構造体を補強する構造であって、
前記見込み方向において前記面材よりも一方側の位置に配されて、第１貫入材で前記上横材の下面に固定された木製の上受け材と、
前記面材よりも前記一方側の位置に配されて、第２貫入材で前記下横材の上面に固定された木製の下受け材と、
前記面材よりも前記一方側の位置に配されて、第３貫入材で上部を前記上受け材に固定されつつ第４貫入材で下部を前記下受け材に固定された木製の補強用面材と、を有し、
前記上受け材と前記下受け材と前記補強用面材とは、前記二つの縦材に固定されていないことを特徴とする木造構造体の補強構造。
【請求項２】
請求項１に記載の木造構造体の補強構造であって、
前記上受け材と前記下受け材とは、互いの間に前記上下方向の隙間をあけて対向しており、
前記上受け材は、前記見込み方向の前記一方側の面における下側部分に、前記見込み方向の他方側にへこんだへこみ部を有し、
前記下受け材は、前記見込み方向の前記一方側の面における上側部分に、前記見込み方向の他方側にへこんだへこみ部を有し、
前記補強用面材における前記上下方向の中央部は、前記上部及び前記下部よりも前記見込み方向の他方側に突出した部分を有し、
前記補強用面材の前記上部及び前記下部が、それぞれ、前記上受け材の前記へこみ部の底面及び前記下受け材の前記へこみ部の底面に当接しており、
前記補強用面材の前記中央部の前記突出した部分は、前記上受け材と前記下受け材との間の前記隙間に介挿されつつ、前記上受け材の下面及び前記下受け材の上面に当接していることを特徴とする木造構造体の補強構造。
【請求項３】
請求項２に記載の木造構造体の補強構造であって、
前記上受け材の前記へこみ部の前記底面における上端縁の入り隅部に、前記第１貫入材の頭部が位置しており、
前記下受け材の前記へこみ部の前記底面における下端縁の入り隅部に、前記第２貫入材の頭部が位置しており、
前記第１貫入材の前記頭部及び前記第２貫入材の前記頭部は、それぞれ、前記一方側から前記補強用面材の前記上部及び前記下部で覆われていることを特徴とする木造構造体の補強構造。
【請求項４】
請求項１乃至３の何れかに記載の木造構造体の補強構造であって、
前記第１貫入材は、上方、又は、上方且つ前記見込み方向の他方側を向いた斜め方向に貫入されており、
前記第２貫入材は、下方、又は、下方且つ前記見込み方向の他方側を向いた斜め方向に貫入されていることを特徴とする木造構造体の補強構造。
【請求項５】
請求項１乃至４の何れかに記載の木造構造体の補強構造であって、
前記見込み方向に貫入された複数の前記第３貫入材が、前記横方向に並んで配されているとともに、少なくとも１つの前記第３貫入材の前記上下方向の位置が、前記横方向に隣り合う別の前記第３貫入材の前記上下方向の位置とずれており、
前記見込み方向に貫入された複数の前記第４貫入材が、前記横方向に並んで配されているとともに、少なくとも１つの前記第４貫入材の前記上下方向の位置が、前記横方向に隣り合う別の前記第４貫入材の前記上下方向の位置とずれていることを特徴とする木造構造体の補強構造。
【請求項６】
請求項５に記載の木造構造体の補強構造であって、
前記補強用面材、前記上受け材、及び前記下受け材のうちの少なくとも１つの部材の木目が、前記横方向に沿っていることを特徴とする木造構造体の補強構造。
【請求項７】
請求項１乃至６の何れかに記載の木造構造体の補強構造であって、
前記上受け材の前記一方側の面は、前記上横材の前記一方側の面との境界位置において、前記上横材の前記一方側の面よりも前記他方側に位置しており、
前記下受け材の前記一方側の面は、前記下横材の前記一方側の面との境界位置において、前記下横材の前記一方側の面よりも前記他方側に位置していることを特徴とする木造構造体の補強構造。
【請求項８】
請求項７に記載の木造構造体の補強構造であって、
前記上受け材の下面に前記補強用面材の上面が当接しているとともに、前記下受け材の上面に前記補強用面材の下面が当接しており、
前記補強用面材の前記一方側の面は、前記上受け材の前記一方側の面との境界位置において、前記上受け材の前記一方側の面よりも前記一方側に位置しているか、又は前記見込み方向において同じ位置に位置しており、
前記補強用面材の前記一方側の面は、前記下受け材の前記一方側の面との境界位置において、前記下受け材の前記一方側の面よりも前記一方側に位置しているか、又は前記見込み方向において同じ位置に位置していることを特徴とする木造構造体の補強構造。
【請求項９】
上下方向と交差する横方向に沿って配された上横材と、前記上横材の下方に位置しつつ、前記横方向に沿って配された下横材と、互いの間に前記横方向の間隔をあけて前記横方向の両側にそれぞれ位置しつつ、前記上下方向に沿ってそれぞれ配された二つの縦材と、を有した木造構造体を補強する方法であって、
前記上下方向及び前記横方向と交差する見込み方向の一方側から前記上横材の下面に木製の上受け材の上面を当接しつつ第１貫入材で固定する上受け材固定工程と、
前記見込み方向の前記一方側から前記下横材の上面に木製の下受け材の下面を当接しつつ第２貫入材で固定する下受け材固定工程と、
前記見込み方向の前記一方側から前記上受け材及び前記下受け材に木製の補強用面材を当接しつつ、第３貫入材で前記補強用面材の上部を前記上受け材に固定し、第４貫通材で前記補強用面材の下部を前記下受け材に固定する補強用面材固定工程と、を有し、
前記上受け材固定工程、前記下受け材固定工程、及び前記補強用面材固定工程では、前記上受け材、前記下受け材、及び前記補強用面材を前記二つの縦材に固定しないことを特徴とする木造構造体の補強方法。
【発明の詳細な説明】
【技術分野】
【０００１】
本発明は、木造構造体の補強構造、及び補強方法に関する。
【背景技術】
【０００２】
社寺等における伝統的木造建築物は、図１の概略正面図に示すように、上下方向と交差する横方向に沿って配された通し肘木等の上横材８と、その下方に位置しつつ横方向に沿って配された頭貫等の下横材４と、横方向の両側にそれぞれ配された二つの組物等の二つの縦材１０，１０と、を有している。また、これら上横材８と下横材４と二つの縦材１０，１０との四者で囲まれた正面視横長形状の空間ＳＰには、琵琶板等の面材９（図１中でドット模様の部分を参照）が、見込み方向（上下方向及び横方向と交差する方向であって、図１中では紙面を貫通する方向）の所定位置に配置されている。
【０００３】
そして、かような伝統的木造建築物についても、耐震性を高める目的で補強工事がなされることがあるが、この点につき、特許文献１には、琵琶板９の上縁部及び下縁部を、それぞれ通し肘木８及び頭貫４の両者にほぞ等の係合部で係合させることで、互いの水平変位を規制することが開示されている。そして、これにより、当該琵琶板９に地震時の水平力を負担させて耐震性を高めるようにしている。
【先行技術文献】
【特許文献】
【０００４】
【特許文献１】特開２００５−９０２２４号公報
【発明の概要】
【発明が解決しようとする課題】
【０００５】
一方、伝統的木造建築物において屋外に面した部材は、接触禁止の重要文化財であることが多いが、この点につき、前述の琵琶板９は、見込み方向の屋外と屋内とを仕切る部材である。そのため、同琵琶板９の直近屋外側には重要文化財が位置していることが多く、或いは当該琵琶板９自体が重要文化財である場合もあることから、同琵琶板９に上記のような係合部を設けることは一般に困難である。
【０００６】
この点につき、適宜な補強部材（不図示）の上部及び下部を、それぞれ見込み方向の屋内側から上横材８及び下横材４の両者に固定すれば、琵琶板９や屋外に面する重要文化財には一切触れずに、当該建築物の補強を行えるものと考えられる。
【０００７】
また、かかる補強の際に、当該補強部材を上横材８及び下横材４以外に更に前述の二つの縦材１０，１０にも固定することが考えられるが、そうすると、これら二つの縦材１０，１０が発揮し得る有効な作用効果を阻害してしまう恐れがある。
【０００８】
例えば、上述のように二つの縦材１０，１０が組物１０，１０の場合には、当該組物１０は、大斗１１や肘木１２等の複数の部材１１，１２，１３が上下方向に積み重ねられつつ、互いの間に配されただぼ等の係合子（不図示）を介して、適宜な遊び等をもって係合したものである。そのため、地震時に、これら係合する各部材１１，１２，１３同士は、互いにある程度独立に動くことが許容されていて、その結果、当該組物１０が支える通し肘木８や不図示の軒等の部材が速やかに揺れることで制振作用が生じるものと言われている。
【０００９】
しかし、かかる組物１０に上記の補強部材を固定してしまうと、地震時の水平力の入力時に当該組物１０を構成する各部材１１，１２，１３が動き難くなってしまい、その結果、上記の制振作用を発揮できなくなる恐れがある。
【００１０】
本発明は、上記のような従来の問題に鑑みなされたものであって、その目的は、屋内側などの見込み方向の一方側から補強構造を木造構造体に配置可能にするとともに、同木造構造体が有する組物等の縦材の動きを上記補強構造が規制しないようにすることにある。
【課題を解決するための手段】
【００１１】
かかる目的を達成するために請求項１に示す発明は、
上下方向と交差する横方向に沿って配された上横材と、前記上横材の下方に位置しつつ、前記横方向に沿って配された下横材と、互いの間に前記横方向の間隔をあけて前記横方向の両側にそれぞれ位置しつつ、前記上下方向に沿ってそれぞれ配された二つの縦材と、前記上横材と前記下横材と前記二つの縦材とで囲まれた空間に配されつつ、法線方向が前記上下方向及び前記横方向と交差する見込み方向を向いた面材と、を有した木造構造体を補強する構造であって、
前記見込み方向において前記面材よりも一方側の位置に配されて、第１貫入材で前記上横材の下面に固定された木製の上受け材と、
前記面材よりも前記一方側の位置に配されて、第２貫入材で前記下横材の上面に固定された木製の下受け材と、
前記面材よりも前記一方側の位置に配されて、第３貫入材で上部を前記上受け材に固定されつつ第４貫入材で下部を前記下受け材に固定された木製の補強用面材と、を有し、
前記上受け材と前記下受け材と前記補強用面材とは、前記二つの縦材に固定されていないことを特徴とする。
【００１２】
上記請求項１に示す発明によれば、当該補強構造が有する上受け材、下受け材、及び補強用面材の三者の何れの部材も、上記面材よりも見込み方向の一方側の位置に配されている。よって、当該補強構造を、見込み方向の一方側から木造構造体に問題無く配置することができる。
また、これら上受け材、下受け材、及び補強用面材の三者の何れの部材も、二つの縦材には、固定されていない。よって、これら二つの縦材の動きを当該補強構造が規制しないようにすることができる。
【００１３】
請求項２に示す発明は、請求項１に記載の木造構造体の補強構造であって、
前記上受け材と前記下受け材とは、互いの間に前記上下方向の隙間をあけて対向しており、
前記上受け材は、前記見込み方向の前記一方側の面における下側部分に、前記見込み方向の他方側にへこんだへこみ部を有し、
前記下受け材は、前記見込み方向の前記一方側の面における上側部分に、前記見込み方向の他方側にへこんだへこみ部を有し、
前記補強用面材における前記上下方向の中央部は、前記上部及び前記下部よりも前記見込み方向の他方側に突出した部分を有し、
前記補強用面材の前記上部及び前記下部が、それぞれ、前記上受け材の前記へこみ部の底面及び前記下受け材の前記へこみ部の底面に当接しており、
前記補強用面材の前記中央部の前記突出した部分は、前記上受け材と前記下受け材との間の前記隙間に介挿されつつ、前記上受け材の下面及び前記下受け材の上面に当接していることを特徴とする。
【００１４】
上記請求項２に示す発明によれば、補強用面材の上部及び下部が、それぞれ、上受け材のへこみ部の底面及び下受け材のへこみ部の底面に当接している。よって、補強用面材の上部及び下部にそれぞれ第３貫入材及び第４貫入材を上記見込み方向の一方側から貫入させることで、補強用面材を上受け材及び下受け材に容易に固定可能となる。
また、補強用面材の上記突出した部分は、上受け材の下面及び下受け材の上面と当接している。よって、仮に、地震時に、下横材が上横材に対して相対的に横方向に水平変位することに起因して、上記見込み方向に沿った軸回りの回転モーメントが補強用面材に作用した場合にも、上記の当接に基づいて、当該回転モーメントに有効に対抗することができる。そして、これにより、当該補強構造は、高い耐震性を奏することができる。
【００１５】
請求項３に示す発明は、請求項２に記載の木造構造体の補強構造であって、
前記上受け材の前記へこみ部の前記底面における上端縁の入り隅部に、前記第１貫入材の頭部が位置しており、
前記下受け材の前記へこみ部の前記底面における下端縁の入り隅部に、前記第２貫入材の頭部が位置しており、
前記第１貫入材の前記頭部及び前記第２貫入材の前記頭部は、それぞれ、前記一方側から前記補強用面材の前記上部及び前記下部で覆われていることを特徴とする。
【００１６】
上記請求項３に示す発明によれば、上述の各入り隅部に位置する第１貫入材の頭部及び第２貫入材の頭部は、それぞれ、見込み方向の一方側から補強用面材の上部及び下部で覆われている。よって、上記見込み方向の一方側から当該頭部を視認不能にして補強の痕跡を隠すことができて、これにより、補強後の木造構造体の見栄えの悪化を抑制可能となる。
【００１７】
請求項４に示す発明は、請求項１乃至３の何れかに記載の木造構造体の補強構造であって、
前記第１貫入材は、上方、又は、上方且つ前記見込み方向の他方側を向いた斜め方向に貫入されており、
前記第２貫入材は、下方、又は、下方且つ前記見込み方向の他方側を向いた斜め方向に貫入されていることを特徴とする。
【００１８】
上記請求項４に示す発明によれば、第１貫入材及び第２貫入材は、それぞれ上記のような方向に貫入されている。よって、これら第１貫入材及び第２貫入材を、それぞれ上受け材及び下受け材に対して見込み方向の一方側から問題無く貫入することができる。
【００１９】
請求項５に示す発明は、請求項１乃至４の何れかに記載の木造構造体の補強構造であって、
前記見込み方向に貫入された複数の前記第３貫入材が、前記横方向に並んで配されているとともに、少なくとも１つの前記第３貫入材の前記上下方向の位置が、前記横方向に隣り合う別の前記第３貫入材の前記上下方向の位置とずれており、
前記見込み方向に貫入された複数の前記第４貫入材が、前記横方向に並んで配されているとともに、少なくとも１つの前記第４貫入材の前記上下方向の位置が、前記横方向に隣り合う別の前記第４貫入材の前記上下方向の位置とずれていることを特徴とする。
【００２０】
上記請求項５に示す発明によれば、横方向に隣り合う少なくとも一組の第３貫入材同士は、互いの上下方向の位置がずれており、同様に、横方向に隣り合う少なくとも一組の第４貫入材同士は、互いの上下方向の位置がずれている。よって、地震時に、これら第３貫入材又は第４貫入材を介して補強用面材、上受け材、及び下受け材に作用し得る水平力を上下方向に分散させることができる。そして、これにより、上下方向の同じ位置に水平力が過度に集中して作用することで生じ得る不具合、例えば、補強用面材、上受け材、及び下受け材の割れ等の破損を防ぐことができて、その結果、補強構造の耐力を高めることができる。
【００２１】
請求項６に示す発明は、請求項５に記載の木造構造体の補強構造であって、
前記補強用面材、前記上受け材、及び前記下受け材のうちの少なくとも１つの部材の木目が、前記横方向に沿っていることを特徴とする。
【００２２】
上記請求項６に示す発明によれば、補強用面材、上受け材、及び下受け材のうちの少なくとも１つの部材の木目が、横方向に沿っているので、当該部材を見込み方向の一方側から見た場合の見栄えを良くできる。但し、木目が水平方向に沿っていると、水平力の作用時に第３貫入材及び第４貫入材の位置で割れ等の破損を助長し得るが、この点につき、請求項５に記載のように、第３貫入材の上下方向の位置は上下方向に分散されており、また、第４貫入材の上下方向の位置も上下方向に分散されている。そのため、上記の如く見栄えの良化を図りながらも、補強用面材、上受け材、及び下受け材の割れ等の破損を防ぐことができる。
【００２３】
請求項７に示す発明は、請求項１乃至６の何れかに記載の木造構造体の補強構造であって、
前記上受け材の前記一方側の面は、前記上横材の前記一方側の面との境界位置において、前記上横材の前記一方側の面よりも前記他方側に位置しており、
前記下受け材の前記一方側の面は、前記下横材の前記一方側の面との境界位置において、前記下横材の前記一方側の面よりも前記他方側に位置していることを特徴とする。
【００２４】
上記請求項７に示す発明によれば、当該補強構造を見込み方向の一方側から見た人に、上記面材の場合と同様の奥行き感を感じさせることができる。すなわち、補強構造に係る上受け材及び下受け材についても、上横材及び下横材よりも上記見込み方向の他方側に引っ込んだように見せることができる。そして、これにより、当該見た人に、これら上受け材及び下受け材を上記面材の如く視認させることができて、その結果、同補強構造が与え得る見た目の違和感を軽減可能となる。
【００２５】
請求項８に示す発明は、請求項７に記載の木造構造体の補強構造であって、
前記上受け材の下面に前記補強用面材の上面が当接しているとともに、前記下受け材の上面に前記補強用面材の下面が当接しており、
前記補強用面材の前記一方側の面は、前記上受け材の前記一方側の面との境界位置において、前記上受け材の前記一方側の面よりも前記一方側に位置しているか、又は前記見込み方向において同じ位置に位置しており、
前記補強用面材の前記一方側の面は、前記下受け材の前記一方側の面との境界位置において、前記下受け材の前記一方側の面よりも前記一方側に位置しているか、又は前記見込み方向において同じ位置に位置していることを特徴とする。
【００２６】
上記請求項８に示す発明によれば、上記請求項７のように上受け材を上横材よりも上記見込み方向の他方側に引っ込めて設けるという制約がある場合に、当該上受け材の下面を、可能な限り大きな面積で補強用面材の上面に当接させることができる。同様に、上記請求項７のように下受け材を下横材よりも見込み方向の他方側に引っ込めて設けるという制約がある場合に、当該下受け材の上面を、可能な限り大きな面積で補強用面材の下面に当接させることができる。よって、仮に、地震時に、下横材が上横材に対して相対的に横方向に水平変位することに起因して、上記見込み方向に沿った軸回りの回転モーメントが補強用面材に作用した場合にも、上記の当接に基づいて、当該回転モーメントに有効に対抗することができる。そして、これにより、当該補強構造は高い耐震性を奏することができる。
【００２７】
請求項９に示す発明は、
上下方向と交差する横方向に沿って配された上横材と、前記上横材の下方に位置しつつ、前記横方向に沿って配された下横材と、互いの間に前記横方向の間隔をあけて前記横方向の両側にそれぞれ位置しつつ、前記上下方向に沿ってそれぞれ配された二つの縦材と、を有した木造構造体を補強する方法であって、
前記上下方向及び前記横方向と交差する見込み方向の一方側から前記上横材の下面に木製の上受け材の上面を当接しつつ第１貫入材で固定する上受け材固定工程と、
前記見込み方向の前記一方側から前記下横材の上面に木製の下受け材の下面を当接しつつ第２貫入材で固定する下受け材固定工程と、
前記見込み方向の前記一方側から前記上受け材及び前記下受け材に木製の補強用面材を当接しつつ、第３貫入材で前記補強用面材の上部を前記上受け材に固定し、第４貫通材で前記補強用面材の下部を前記下受け材に固定する補強用面材固定工程と、を有し、
前記上受け材固定工程、前記下受け材固定工程、及び前記補強用面材固定工程では、前記上受け材、前記下受け材、及び前記補強用面材を前記二つの縦材に固定しないことを特徴とする。
【００２８】
上記請求項９に示す発明によれば、上記の上受け材及び下受け材を、木造構造体において対応する上記の上横材及び下横材に対して、それぞれ、見込み方向の一方側から当接して固定し、そして、これら上受け材及び下受け材に、見込み方向の一方側から木製の補強用面材を当接しつつ固定する。よって、木造構造体の補強を、上記一方側から速やかに行うことができる。
また、かかる補強においては、これら上受け材、下受け材、及び補強用面材の何れの部材も、二つの縦材には固定しない。よって、これら二つの縦材の動きを当該補強構造が規制しないようにすることができる。
【発明の効果】
【００２９】
本発明によれば、屋内側などの見込み方向の一方側から補強構造を木造構造体に配置可能にするとともに、同木造構造体が有する組物等の縦材の動きを上記補強構造が規制しないようにすることができる。
【図面の簡単な説明】
【００３０】
【図１】伝統的木造建築物の概略正面図である。
【図２】本実施形態の補強構造２０を配置前の木造構造体１の概略正面図である。
【図３Ａ】本実施形態の補強構造２０を配置後の木造構造体１の補強対象部分を拡大して示す概略正面図である。
【図３Ｂ】図３Ａ中のＢ−Ｂ断面図である。
【発明を実施するための形態】
【００３１】
＝＝＝本実施形態＝＝＝
図２乃至図３Ｂは、本実施形態の補強構造２０が設けられる木造構造体１の説明図である。図２は、補強構造２０を配置前の木造構造体１の概略正面図である。また、図３Ａは、補強構造２０を配置後の木造構造体１の補強対象部分を拡大して示す概略正面図であり、図３Ｂは、図３Ａ中のＢ−Ｂ断面図である。
【００３２】
なお、以下では、互いに直交する三方向のことを、「上下方向」、「横方向」、及び「見込み方向」と言う。そして、この例では、横方向及び見込み方向は、それぞれ水平方向を向いている。また、請求項に記載の見込み方向の一方側が、補強対象の木造構造体１の「室内側」に相当し、他方側が「室外側」に相当する。ちなみに、図３Ａは、見込み方向の室内側から見た場合の補強構造２０の概略正面図である。
【００３３】
図２に示すように、本実施形態の補強構造２０で補強される木造構造体１は、既存の木造建築物の一部をなしている。ここで、同木造構造体１は、既存軸組として、横方向に一対の柱２，２と、横方向に沿って配された頭貫４と、横方向に沿って配された地覆６と、を有している。そして、各柱２，２と頭貫４及び地覆６とは、互いの端部２ｅ，４ｅ，６ｅにおいてほぞ及びほぞ穴などの適宜な嵌合構造で連結されている。
【００３４】
また、この例では、各柱２の上端部２ｅの上面２ｅｓには、それぞれ組物１０が設けられている。そして、横方向に並ぶ二つの組物１０，１０同士の間には、横方向に沿って通し肘木８が掛け渡されていて、これにより、同通し肘木８が二つの組物１０，１０に支持されている。
【００３５】
なお、この図２の例では、組物１０は、下から順に、大斗１１、肘木１２、及び巻斗１３を有しており、これら各部材１１，１２，１３は、上下方向に隣り合う部材と所定の遊び等をもって不図示のだぼで連結されている。例えば、大斗１１は、下方に隣接する柱２の上端部２ｅと所定の遊び等をもってだぼで連結されており、その上方に位置する肘木１２及び巻斗１３は、順次所定の遊び等をもってだぼで連結されている。また、巻斗１３は、その上方に隣接する通し肘木８や不図示の軒に所定の遊び等をもってだぼで連結されていて、これにより、組物１０は通し肘木８や軒を支持している。よって、当該組物１０を構成する大斗１１、肘木１２、及び巻斗１３は、それぞれ、地震時に、互いにある程度独立に動くことが許容されていて、その結果、当該組物１０が支える通し肘木８や軒と共同して所定の制振作用を奏することができる。ちなみに、上述のだぼに代えてほぞで連結しても良い。
【００３６】
一方、頭貫４と通し肘木８と二つの組物１０，１０とで囲まれた正面視横長形状の空間ＳＰには、琵琶板９（面材に相当し、図２中でドット模様の部分を参照）が、当該空間ＳＰを室内側と室外側とに仕切るように、当該琵琶板９の法線方向を見込み方向に向けて設けられている。例えば、琵琶板９の下縁部９ｅｄ及び上縁部９ｅｕは、それぞれ、頭貫４の上面４ｓｕ及び通し肘木８の下面８ｓｄに溝状に設けられた大入れ４ｓｕｋ，８ｓｄｋ（図３Ｂ）に挿入されていて、これにより、琵琶板９は、頭貫４及び通し肘木８に、所定の遊び等をもって取り付けられている。
【００３７】
かような木造構造体１のうちで本実施形態の補強構造２０が配置される補強対象部分は、琵琶板９が設けられた上記空間ＳＰの部分、すなわち、頭貫４（下横材に相当）と通し肘木８（上横材に相当）と二つの組物１０，１０（二つの縦材に相当）とで囲まれた正面視略矩形状の空間ＳＰの部分（図２中でドット模様の部分）である。
【００３８】
図３Ａ及び図３Ｂに示すように、補強構造２０は、第１貫入材７１で通し肘木８の下面８ｓｄに固定された木製の上受け材３０と、第２貫入材７２で頭貫４の上面４ｓｕに固定された木製の下受け材４０と、第３貫入材７３で上部５０ｕを上受け材３０に固定されつつ第４貫入材７４で下部５０ｄを下受け材４０に固定された木製の補強用面材５０と、を有する。
【００３９】
そして、図３Ｂから明らかなように、これら上受け材３０、下受け材４０、及び補強用面材５０の何れの部材も、見込み方向において琵琶板９よりも室内側の位置に配されている。よって、当該補強構造２０を、見込み方向の室内側から木造構造体１に問題無く配置することができる。そして、これにより、琵琶板９の位置を含めその屋外側の位置に、接触禁止の重要文化財が存在している場合でも、当該補強構造２０の配置を問題無く行うことができる。
【００４０】
また、これら上受け材３０、下受け材４０、及び補強用面材５０の何れの部材も、図３Ａの二つの組物１０，１０には固定されていない。よって、これら二つの組物１０，１０の動きを当該補強構造２０が規制しないようにすることができて、これにより、木造構造体１の補強後も、組物１０は、何等問題なく通し肘木８や軒と共同して所定の制振作用を奏することができる。
【００４１】
なお、ここで、上受け材３０、下受け材４０、及び補強用面材５０が互いに連結一体化したものを「補強構造２０の本体部２０Ｈ」と言った場合に、図３Ａに示すように、当該本体部２０Ｈにおける横方向の両側の各部分の形状は、それぞれ、横方向の外側に対応して隣り合う組物１０における横方向の内側の部分の形状に対応した形状をしている。よって、同本体部２０Ｈがこのような形状をしていることも、当該本体部２０Ｈをなす上受け材３０、下受け材４０、及び補強用面材５０を、組物１０と干渉すること無く前述の正面視横長形状の空間ＳＰに、見込み方向の室内側から速やかに配置可能なことに有効に寄与している。
【００４２】
また、上受け材３０、下受け材４０、及び補強用面材５０の各木種については、樫や檜、杉などを例示できる。そして、何れの木種を用いるかについては、補強構造２０に要求される耐力に応じて適宜決定される。
【００４３】
以下、補強構造２０の本体部２０Ｈをなす上受け材３０、下受け材４０、及び補強用面材５０について説明する。
【００４４】
図３Ｂに示すように、上受け材３０は、見込み方向の室内側の面３０ｓｉ（一方側の面に相当）における下側部分３０ｓｉｄに、その全域に亘って屋外側にへこんだへこみ部３０ｈを有している。詳しくは、同図３Ｂに示すように上受け材３０を横方向から見た場合に、同上受け材３０の見込み方向の屋外側の面３０ｓｘについては全面に亘って平坦面をなしているが、同上受け材３０における下側部分の見込み方向の厚さが上側部分のそれよりも薄くなっている。そのため、見込み方向の室内側の面３０ｓｉについては、上側部分３０ｓｉｕよりも下側部分３０ｓｉｄの方が屋外側に引っ込んでいて、これにより、同上受け材３０の室内側の面３０ｓｉにおける下側部分３０ｓｉｄが正面視横長帯状のへこみ部３０ｈとなっている（図３Ａ）。
【００４５】
そして、同図３Ｂに示すように、かかるへこみ部３０ｈの底面３０ｈｂにおける上端縁の入り隅部３０ｈｂｃには、第１貫入材７１としての第１木ねじ７１が、室外側且つ上方を向いた斜め方向にねじ込まれていて、これにより、同第１木ねじ７１の軸部７１ａにおけるねじ込み方向の先端部は、上方の通し肘木８に到達している。よって、当該第１木ねじ７１に基づいて通し肘木８に上受け材３０が相対移動不能に固定されている。
【００４６】
また、かかる第１木ねじ７１は、上述のようにへこみ部３０ｈの入り隅部３０ｈｂｃにねじ込まれている。そのため、図３Ｂの如きねじ込み完了状態においては、同第１木ねじ７１の頭部７１ｈも入り隅部３０ｈｂｃに位置しているが、ここで、当該へこみ部３０ｈの底面３０ｈｂには、後述の補強用面材５０の上部５０ｕが見込み方向の屋内側から当接されている。そして、これにより、第１木ねじ７１の頭部７１ｈは、当該室内側から補強用面材５０の上部５０ｕで覆われている。よって、室内側から当該頭部７１ｈを視認不能にして補強の痕跡を隠すことができて、これにより、補強後の木造構造体１の見栄えの悪化を抑制可能となる。
【００４７】
なお、図３Ａの例では、かような第１木ねじ７１は、横方向に所定ピッチで複数の一例として４本以上並んで設けられているが、配置本数は何等４本以上に限らない。
【００４８】
図３Ｂに示すように、下受け材４０は、見込み方向の室内側の面４０ｓｉにおける上側部分４０ｓｉｕに、その全域に亘って屋外側にへこんだへこみ部４０ｈを有している。詳しくは、同図３Ｂに示すように下受け材４０を横方向から見た場合に、同下受け材４０の見込み方向の屋外側の面４０ｓｘについては全面に亘って平坦面をなしているが、同下受け材４０における上側部分の見込み方向の厚さが下側部分のそれよりも薄くなっている。そのため、見込み方向の室内側の面４０ｓｉ（一方側の面に相当）については、下側部分４０ｓｉｄよりも上側部分４０ｓｉｕの方が屋外側に引っ込んでいて、これにより、同下受け材４０の室内側の面４０ｓｉにおける上側部分４０ｓｉｕが正面視横長帯状のへこみ部４０ｈとなっている（図３Ａ）。
【００４９】
そして、同図３Ｂに示すように、かかるへこみ部４０ｈの底面４０ｈｂにおける下端縁の入り隅部４０ｈｂｃには、第２貫入材７２としての第２木ねじ７２が、室外側且つ下方を向いた斜め方向にねじ込まれていて、これにより、同第２木ねじ７２の軸部７２ａにおけるねじ込み方向の先端部は、下方の頭貫４に到達している。よって、当該第２木ねじ７２に基づいて頭貫４に下受け材４０が相対移動不能に固定されている。
【００５０】
また、かかる第２木ねじ７２は、上述のようにへこみ部４０ｈの入り隅部４０ｈｂｃにねじ込まれている。そのため、図３Ｂの如きねじ込み完了状態においては、同第２木ねじ７２の頭部７２ｈも入り隅部４０ｈｂｃに位置しているが、ここで、当該へこみ部４０ｈの底面４０ｈｂには、後述の補強用面材５０の下部５０ｄが見込み方向の屋内側から当接されている。そして、これにより、第２木ねじ７２の頭部７２ｈは、当該室内側から補強用面材５０の下部５０ｄで覆われている。よって、室内側から当該頭部７２ｈを視認不能にして補強の痕跡を隠すことができて、これにより、補強後の木造構造体１の見栄えの悪化を抑制可能となる。
【００５１】
なお、図３Ａの例では、かような第２木ねじ７２は、横方向に所定ピッチで複数の一例として５本以上並んで設けられているが、配置本数は何等５本以上に限らない。
【００５２】
ここで、望ましくは、図３Ｂに示すように、上受け材３０の室内側の面３０ｓｉにおける上側部分３０ｓｉｕは、その上方に隣接する通し肘木８の室内側の面８ｓｉ（一方側の面に相当）との境界位置Ｐｂ８において、通し肘木８の室内側の面８ｓｉよりも屋外側に位置していると良く、また同様に、下受け材４０の室内側の面４０ｓｉにおける下側部分４０ｓｉｄも、その下方に隣接する頭貫４の室内側の面４ｓｉ（一方側の面に相当）との境界位置Ｐｂ４において、頭貫４の室内側の面４ｓｉよりも屋外側に位置していると良い。
そして、このようになっていれば、図３Ａのように当該補強構造２０を見込み方向の室内側から見た人に、琵琶板９の場合と同様の奥行き感を感じさせることができる。すなわち、補強構造２０に係る上受け材３０及び下受け材４０を、それぞれ、通し肘木８及び頭貫４よりも見込み方向の屋外側に引っ込んだように見せることができる。よって、当該見た人に、これら上受け材３０及び下受け材４０を琵琶板９の一部の如く視認させることができて、これにより、同補強構造２０が与え得る見た目の違和感を軽減可能となる。
【００５３】
図３Ｂを参照して一部既述のように、補強用面材５０は、上部５０ｕと、下部５０ｄと、上下方向においてこれら上部５０ｕと下部５０ｄとの間に位置する中央部５０ｃとを一体に有している。また、図３Ａに示すように、これら上部５０ｕ、中央部５０ｃ、及び下部５０ｄの正面視の各形状は、何れも横長帯状となっている。更に、図３Ｂのように横方向から見た場合に、中央部５０ｃは、上部５０ｕ及び下部５０ｄよりも見込み方向の屋外側に突出した部分５０ｃｐを有している。
そして、上部５０ｕと下部５０ｄとが、それぞれ上受け材３０のへこみ部３０ｈの底面３０ｈｂ及び下受け材４０のへこみ部４０ｈの底面４０ｈｂに当接した状態においては、当該突出した部分５０ｃｐは、上受け材３０と下受け材４０との間に形成された正面視横長帯状の隙間ＧＰに介挿されつつ、上受け材３０の下面３０ｓｄ及び下受け材４０の上面４０ｓｕに当接している（図３Ｂ）。
また、かかる当接状態において、補強用面材５０の上部５０ｕには、図３Ｂに示すように、見込み方向の室内側から第３貫入材７３として第３木ねじ７３が見込み方向に沿ってねじ込まれていて、同第３木ねじ７３の軸部７３ａにおけるねじ込み方向の先端部は、上記上部５０ｕの室外側に隣接する上受け材３０に到達している。
更に同様に、補強用面材５０の下部５０ｄには、見込み方向の室内側から第４貫入材７４として第４木ねじ７４が見込み方向に沿ってねじ込まれていて、同第４木ねじ７４の軸部７４ａにおけるねじ込み方向の先端部は、上記下部５０ｄの室外側に隣接する下受け材４０に到達している。
よって、これら上受け材３０、補強用面材５０、及び下受け材４０の三部材は、互いに相対移動不能に固定されていて、これにより、これら三部材３０，４０，５０同士の間で水平力の伝達が速やかになされるようになっている。そして、その結果、同三部材３０，４０，５０は、前述の補強構造２０の本体部２０Ｈとして問題無く機能することができる。
【００５４】
ちなみに、図３Ａに示すように、かかる第３木ねじ７３及び第４木ねじ７４は、それぞれ、補強用面材５０の上部５０ｕ及び下部５０ｄにおいて横方向に複数並んで配置されているが、ここで、この例では、少なくとも１つの第３木ねじ７３の上下方向の位置が、横方向に隣り合う別の第３木ねじ７３の上下方向の位置とずれており、同様に、少なくとも１つの第４木ねじ７４の上下方向の位置が、横方向に隣り合う別の第４木ねじ７４の上下方向の位置とずれている。
より正確に言えば、この例では、全ての第３木ねじ７３，７３…が、横方向に隣り合う第３木ねじ７３に対して上下方向の位置がずれてなる所謂千鳥配置で配されており、また、第４木ねじ７４についても、全ての第４木ねじ７４，７４…が、横方向に隣り合う第４木ねじ７４に対して上下方向の位置がずれてなる千鳥配置で配されている。
【００５５】
よって、地震時に、これら第３木ねじ７３及び第４木ねじ７４を介して補強用面材５０、上受け材３０、及び下受け材４０に作用し得る水平力を上下方向に分散させることができる。つまり、上下方向の同じ位置に水平力が過度に集中して作用することを防ぐことができる。そして、その結果、補強用面材５０、上受け材３０、及び下受け材４０の割れ等の破損を防ぐことができる。
【００５６】
また、この例では、不図示であるが、補強用面材５０、上受け材３０、及び下受け材４０のうちの少なくとも１つの部材の木目が、横方向に沿っていて、より詳しくは、全部の部材３０、４０、５０の木目が横方向に沿っている。そのため、当該部材を見込み方向の室内側から見た場合の見栄えを良くすることができる。
但し、木目が水平方向に沿っていると、上述の如き水平力の作用時に第３木ねじ７３及び第４木ねじ７４の位置で割れ等の破損を助長し得るが、この点につき、上述のように、第３木ねじ７３の上下方向の位置は上下方向に分散されており、また、第４木ねじ７４の上下方向の位置も上下方向に分散されている。よって、上記の如く見栄えの良化を図りながらも、補強用面材５０、上受け材３０、及び下受け材４０の割れ等の破損を有効に抑制可能となる。
【００５７】
なお、この図３Ｂの例では、第３木ねじ７３の頭部７３ｈは、補強用面材５０の上部５０ｕにおいて室内側の面５０ｓｉ（一方側の面に相当）に位置しており、同様に、第４木ねじ７４の頭部７４ｈは、補強用面材５０の下部５０ｄにおいて室内側の面５０ｓｉ（一方側の面に相当）に位置している。そのため、図３Ａに示すように、各頭部７３ｈ，７４ｈは、室内側から見えてしまい、見栄えの悪化を招き得る。
しかし、この点につき、これら第３木ねじ７３の頭部７３ｈの頂面の面積及び第４木ねじ７４の頭部７４ｈの頂面の面積は、第１木ねじ７１の頭部７１ｈの頂面の面積及び第２木ねじ７２の頭部７２ｈの頂面の面積よりも小さくなっている。よって、第３木ねじ７３及び第４木ねじ７４に代えて第１及び第２木ねじ７１，７２と同サイズの木ねじを使用した場合と比較して、室内側から補強構造２０を見た場合の見栄えの悪化を抑制可能となる。また、この例では、前述したように、頂面の面積がより大きな第１木ねじ７１及び第２木ねじ７２の各頭部７１ｈ，７２ｈについては、補強用面材５０の上部５０ｕ及び下部５０ｄによって、見込み方向の室内側から視認不能に隠されている。よって、このことも、補強後の木造構造体１の見栄えの悪化の抑制に寄与する。
【００５８】
一方、図３Ｂを参照して前述したように、上受け材３０、補強用面材５０、及び下受け材４０の三部材が連結一体化した状態においては、補強用面材５０の中央部５０ｃにおいて上部５０ｕ及び下部５０ｄよりも屋外側に突出する部分５０ｃｐは、上受け材３０と下受け材４０との間の正面視横長帯状の隙間ＧＰに介挿されつつ、上受け材３０の下面３０ｓｄ及び下受け材４０の上面４０ｓｕに当接している。
【００５９】
よって、仮に、地震時に、頭貫４が通し肘木８に対して相対的に横方向に水平変位することに起因して、上記見込み方向に沿った軸Ｃｍ回りの回転モーメントＭ（図３Ａ）が補強用面材５０に作用した場合にも、上記の当接に基づいて、当該回転モーメントＭに有効に対抗することができる。そして、これにより、当該補強構造２０は、高い耐震性を奏することができる。
【００６０】
また、かかる当接状態においては、図３Ｂに示すように、同補強用面材５０の上部５０ｕの屋外側の面５０ｕｓｘ及び下部５０ｄの屋外側の面５０ｄｓｘについては、それぞれ、上受け材３０のへこみ部３０ｈの底面３０ｈｂ及び下受け材４０のへこみ部４０ｈの底面４０ｈｂに当接しているとともに、上部５０ｕの上面５０ｕｓｕ及び下部５０ｄの下面５０ｄｓｄは、それぞれ、上受け材３０のへこみ部３０ｈが具備する下方を向いた面３０ｈｓｄ（以下、下面３０ｈｓｄとも言う）及び下受け材４０のへこみ部４０ｈが具備する上方を向いた面４０ｈｓｕ（以下、上面４０ｈｓｕとも言う）に当接している。そして、かかる当接も、上述の回転モーメントＭへの対抗に有効に寄与する。
【００６１】
ここで、この回転モーメントＭへの対抗作用をより確実に奏させる観点からは、望ましくは、同図３Ｂに示すように、補強用面材５０の室内側の面５０ｓｉ（一方側の面に相当）が、上受け材３０の室内側の面３０ｓｉにおける上側部分３０ｓｉｕとの境界位置Ｐｂ３０において、当該上側部分３０ｓｉｕよりも室内側に位置しているか、又は見込み方向において同じ位置に位置していると良く、同様に、補強用面材５０の室内側の面５０ｓｉが、下受け材４０の室内側の面４０ｓｉにおける下側部分４０ｓｉｄとの境界位置Ｐｂ４０において、当該下側部分４０ｓｉｄよりも室内側に位置しているか、又は見込み方向において同じ位置に位置していると良い。
【００６２】
そして、このようになっていれば、仮に、前述のような制約、すなわち図３Ａのように室内側から見た上受け材３０及び下受け材４０をあたかも琵琶板９のように見せる目的で、これら上受け材３０及び下受け材４０を通し肘木８及び頭貫４よりも室外側へ引っ込めて設けるという制約が課せられた場合でも、図３Ｂのように、上受け材３０の下面３０ｈｓｄ及び下受け材４０の上面４０ｈｓｕを、それぞれ、可能な限り大きな面積で補強用面材５０における上部５０ｕの上面５０ｕｓｕ及び下部５０ｄの下面５０ｄｓｄに当接させることができる。よって、上記の回転モーメントＭに対してより確実に対抗可能となる。
【００６３】
かかる補強構造２０は、例えば次のようにして木造構造体１に設置される。
【００６４】
先ず、上受け材固定工程を行う。すなわち、図３Ｂに示すように、見込み方向の室内側から通し肘木８の下面８ｓｄに上受け材３０の上面３０ｓｕを当接しつつ、第１木ねじ７１で通し肘木８に上受け材３０を固定する。しかし、このとき、二つの組物１０，１０には上受け材３０を固定しない。よって、当該上受け材３０で組物１０の動きを規制しないようにすることができる。
【００６５】
また、このとき、経年劣化等に基づいて通し肘木８の下面８ｓｄが湾曲変形していることも考えられるが、その場合には、当該通し肘木８の下面８ｓｄに対応した湾曲形状になるように上受け材３０の上面３０ｓｕを加工すれば良い。
【００６６】
次に、下受け材固定工程を行う。すなわち、同じく室内側から頭貫４の上面４ｓｕに下受け材４０の下面４０ｓｄを当接しつつ、第２木ねじ７２で頭貫４に下受け材４０を固定する。しかし、このとき、二つの組物１０，１０には下受け材４０を固定しない。よって、当該下受け材４０で組物１０の動きを規制しないようにすることができる。
【００６７】
また、このとき、上述の通し肘木８の場合と同様に、経年劣化等に基づいて頭貫４の上面４ｓｕが湾曲変形していることも考えられるが、その場合には、当該頭貫４の上面４ｓｕに対応した湾曲形状に下受け材４０の下面４０ｓｄを加工すれば良い。
【００６８】
そうしたら、最後に、補強用面材固定工程を行う。すなわち、見込み方向の室内側から上受け材３０及び下受け材４０に補強用面材５０の上部５０ｕ及び下部５０ｄを当接しつつ、第３木ねじ７３で当該補強用面材５０の上部５０ｕを上受け材３０に固定し、また第４木ねじ７４で同補強用面材５０の下部５０ｄを下受け材４０に固定する。しかし、このとき、二つの組物１０，１０には補強用面材５０を固定しない。よって、当該補強用面材５０で組物１０の動きを規制しないようにすることができる。そして、以上をもって、木造構造体１への補強構造２０の配置が完了する。
【００６９】
ちなみに、上受け材固定工程と下受け材固定工程とは、順不同であり、つまり、上受け材固定工程の前に、下受け材固定工程を行っても良い。
【００７０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７１】
上述の実施形態では、図３Ａ及び図３Ｂに示すように、第１乃至第４貫入材７１〜７４の一例として木ねじを示した。そして、同木ねじは、頭部７１ｈ〜７４ｈと軸部７１ａ〜７４ａとを有するとともに、当該軸部７１ａ〜７４ａの外周面に螺旋状の凸部が設けられたものであるが、何等これに限らない。例えば、鉄丸釘や和釘などを用いても良い。また、かかる第１乃至第４貫入材７１〜７４の素材も、何等鉄製に限らない。例えば、他の金属製でも良い。
【００７２】
上述の実施形態では、図２に示すように、上横材８の一例として通し肘木８を示し、下横材４の一例として頭貫４を示していたが、何等これに限らない。例えば、下横材４が長押でも良い。
【００７３】
上述の実施形態では、図２及び図３Ａに示すように、二つの縦材１０の一例として二つの組物１０を示したが、何等これに限らない。例えば、間斗束や大瓶束、蟇股等でも良い。また、二つの縦材１０が、互いに異なる部材であっても良い。例えば、二つの縦材１０のうちの一方が組物であり、他方が間斗束であっても良い。更に上述の実施形態では、二つの組物１０，１０が、それぞれ各柱２，２の上端部２ｅ，２ｅの上面２ｅｓ，２ｅｓに配置されていたが、これら組物１０，１０が、横方向の間隔をあけて横方向の両側にそれぞれ位置していれば、何等これに限らない。例えば、当該組物１０，１０が、下横材としての頭貫４の上面４ｓｕに配置されていても良い。
【００７４】
上述の実施形態では、図２乃至図３Ｂに示すように、面材９の一例として琵琶板９を例示したが、何等これに限らない。すなわち、上横材８と下横材４と二つの縦材１０，１０とで区画される空間ＳＰに配される部材であれば、これ以外の部材でも良い。例えば、彫刻等が形成された欄間のような面材９でも良い。
【００７５】
上述の実施形態では、図３Ｂに示すように、請求項に記載の見込み方向の一方側を「室内側」とし、他方側を「室外側」としていたが、何等これに限らず、逆にしても良い。例えば、一方側を「室外側」とし、他方側を「室内側」としても良い。そして、このようにした場合には、室内側に重要文化財が存在するような木造構造体１に対して、本発明の補強構造２０を速やかに配置可能となる。
【００７６】
上述の実施形態では、図３Ｂに示すように、第１貫入材としての第１木ねじ７１を上受け材３０のへこみ部３０ｈの入り隅部３０ｈｂｃにねじ込んでいた関係上、当該第１木ねじ７１を室外側且つ上方を向いた斜め方向にねじ込んでいたが、何等これに限らない。例えば、当該へこみ部３０ｈにおいて上部に位置する前述の下面３０ｈｓｄにねじ込む場合には、当該第１木ねじ７１を上方にねじ込んでも良い。同様に、この図３Ｂの例では、第２貫入材としての第２木ねじ７２を下受け材４０のへこみ部４０ｈの入り隅部４０ｈｂｃにねじ込んでいた関係上、当該第２木ねじ７２を室外側且つ下方を向いた斜め方向にねじ込んでいたが、何等これに限らない。例えば、当該へこみ部４０ｈにおいて下部に位置する前述の上面４０ｈｓｕにねじ込む場合には、当該第２木ねじ７２を下方にねじ込んでも良い。
【符号の説明】
【００７７】
１  木造構造体、２  柱、２ｅ  端部、２ｅｓ  上面、
４  頭貫（下横材）、４ｅ  端部、
４ｓｉ  室内側の面（一方側の面）、４ｓｕ  上面、４ｓｕｋ  大入れ、
６  地覆、
８  通し肘木（上横材）、８ｓｄ  下面、８ｓｄｋ  大入れ、
８ｓｉ  室内側の面（一方側の面）、
９  琵琶板（面材）、９ｅｄ  下縁部、９ｅｕ  上縁部、
１０  組物（縦材）、
１１  大斗、１２  肘木、１３  巻斗、
２０  補強構造、２０Ｈ  本体部、
３０  上受け材、
３０ｈ  へこみ部、３０ｈｂ  底面、３０ｈｂｃ  入り隅部、
３０ｈｓｄ  下面、３０ｓｄ  下面、
３０ｓｉ  室内側の面（一方側の面）、３０ｓｉｄ  下側部分、３０ｓｉｕ  上側部分、
３０ｓｕ  上面、
３０ｓｘ  屋外側の面、
４０  下受け材、
４０ｈ  へこみ部、４０ｈｂ  底面、４０ｈｂｃ  入り隅部、
４０ｈｓｕ  上面、４０ｓｕ  上面、
４０ｓｉ  室内側の面（一方側の面）、４０ｓｉｄ  下側部分、４０ｓｉｕ  上側部分、
４０ｓｄ  下面、
４０ｓｘ  屋外側の面、
５０  補強用面材、
５０ｃ  中央部、５０ｃｐ  突出した部分、
５０ｄ  下部、５０ｄｓｄ  下面、５０ｄｓｘ  屋外側の面、
５０ｕ  上部、５０ｕｓｕ  上面、５０ｕｓｘ  屋外側の面、
５０ｓｉ  室内側の面（一方側の面）、
７１  第１木ねじ（第１貫入材）、７１ｈ  頭部、７１ａ  軸部、
７２  第２木ねじ（第２貫入材）、７２ｈ  頭部、７２ａ  軸部、
７３  第３木ねじ（第３貫入材）、７３ｈ  頭部、７３ａ  軸部、
７４  第４木ねじ（第４貫入材）、７４ｈ  頭部、７４ａ  軸部、
Ｐｂ４  境界位置、Ｐｂ８  境界位置、Ｐｂ３０  境界位置、Ｐｂ４０  境界位置、
ＳＰ  空間、ＧＰ  隙間、Ｃｍ  軸、
【図１】
2018084050.tif 000003
【図２】
2018084050.tif 000004
【図３Ａ】
2018084050.tif 000005
【図３Ｂ】
2018084050.tif 000006